(57)【特許請求の範囲】
【請求項１】
フッ素化触媒存在下、気相中において１−クロロ−３，３，３−トリフルオロプロペン（トランス体またはシス体）または１，３，３，３−テトラフルオロプロペン（トランス体またはシス体）のいずれかもしくは両者の混合物と、フッ化水素とを反応させて、１，１，１，３，３−ペンタフルオロプロパンを製造する方法であって、フッ素化触媒として、クロム担持活性炭を用い、該活性炭が、比表面積が４００ｍ2／ｇより大きい活性炭であり、反応温度が１００〜５００℃であり、接触時間が０．１〜３００秒であり、１−クロロ−３，３，３−トリフルオロプロペン（トランス体またはシス体）または１，３，３，３−テトラフルオロプロペン（トランス体またはシス体）と、フッ化水素のモル比が、１／２〜１／５０であって、反応圧力をゲージ圧で表して０．０５〜１０ＭＰａの下に反応を行うことからなる、１，１，１，３，３−ペンタフルオロプロパンの製造法。
【発明の詳細な説明】
【０００１】
【産業上の利用分野】
本発明は、反応性中間体あるいはポリウレタンフォ−ム等の発泡剤、冷媒、溶剤、噴射剤等として有用なハロゲン化プロパン類、特に１，１，１，３，３−ペンタフルオロプロパンの製造方法に関する。
【０００２】
【従来技術】
少なくとも一個のフッ素原子を有するハロゲン化プロパン類を製造する方法は従来から各種の方法が知られている。例えば、１，１，１，３，３−ペンタフルオロプロパンの製造方法としては従来、（１）ＣＦ3−ＣＣｌＸ−ＣＦ2Ｃｌを接触水素化する方法（特開平６−２５６２３５号公報）、（２）１，１，３，３，３−ペンタフルオロ−１−プロペンをＰｄ−Ａｌ2Ｏ3で水素化する方法（Ｉｚｖｅｓｔ．Ａｋａｄ．Ｎａｕｋ  Ｓ．Ｓ．Ｓ．Ｒ．，Ｏｔｄｅｌ．Ｋｈｉｍ．Ｎａｕｋ．１９６０，１４１２−１８；ＣＡ  ５５，３４９ｆ）、（３）１，２，２−トリクロロペンタフルオロプロパンを水素化する方法（ＵＳＰ２９４２０３６号明細書）、（４）１，１，１，３，３−ペンタクロロプロパンを触媒の存在下液相フッ素化する方法（ＵＳＰ５，５７４，１９２号明細書）、（５）気相で１，１，１，３，３−ペンタクロロプロパンを触媒の存在下フッ素化する方法（特開平９−００２９８３号公報）、（６）同じく気相で１，１，１，３，３−ペンタクロロプロパンを触媒の存在下フッ素化し１−クロロ−３，３，３−トリフルオロロプロペンを得、さらに同化合物を触媒の存在下気相フッ素化する方法（特開平９−１８３７４０号公報）等が知られている。
【０００３】
【発明が解決しようとする課題】
前記の特開平６−２５６２３５号公報またはＵＳＰ２９４２０３６号明細書などに記載された水素化による塩素−水素置換反応は反応率および選択率に優れた方法ではあるが、触媒の劣化が著しく、また、原料であるフッ素化塩素化プロパンを予め調製しなければならず、工業的に適用するには困難な点が多い。一方、前記（２）で示したオレフィンへの水素付加による方法はすぐれた１，１，１，３，３−ペンタフルオロプロパンの製造方法であるが、原料となる１，１，３，３，３−ペンタフルオロ−１−プロペンを入手することが困難であり工業的に採用するには問題がある。ＵＳＰ５，５７４，１９２号明細書に記載の方法は液相法であり、連続法による工業的方法としては困難な点が多い。また気相にて１，１，１，３，３−ペンタクロロプロパンまたは１−クロロ−３，３，３−トリフルオロプロペンをフッ素化すると化学平衡のため無視できない量の１−クロロ−３，３，３−トリフルオロプロペン（トランス体、沸点２１．０℃）および１，３，３，３−テトラフルオロプロペン（シス体）が目的生成物１，１，１，３，３−ペンタフルオロプロパン（沸点１５．３℃）と混在し、蒸留による分離精製は著しく困難となる。
【０００４】
【問題点を解決するための具体的手段】
本発明者らはかかる従来技術の問題点に鑑み、工業的規模での製造に適した１，１，１，３，３−ペンタフルオロプロパンの製造方法を確立するべく各種の製造プロセスについて鋭意検討を加えたところ、対応するハロゲン化プロペンをフッ化水素で気相フッ素化してハロゲン化プロパンを製造するにあたって、触媒として金属化合物を担持した活性炭を使用すると原料転化率、目的生成物の収率が反応系の圧力に大きく依存することを見いだし、本発明に到達した。
【０００５】
すなわち本発明は、フッ素化触媒存在下、気相中において１−クロロ−３，３，３−トリフルオロプロペン（トランス体またはシス体）または１，３，３，３−テトラフルオロプロペン（トランス体またはシス体）のいずれかもしくは両者の混合物と、フッ化水素とを反応させて、１，１，１，３，３−ペンタフルオロプロパンを製造する方法であって、フッ素化触媒として、クロム担持活性炭を用い、該活性炭が、比表面積が４００ｍ2／ｇより大きい活性炭であり、反応温度が１００〜５００℃であり、接触時間が０．１〜３００秒であり、１−クロロ−３，３，３−トリフルオロプロペン（トランス体またはシス体）または１，３，３，３−テトラフルオロプロペン（トランス体またはシス体）と、フッ化水素のモル比が、１／２〜１／５０であって、反応圧力をゲージ圧で表して０．０５〜１０ＭＰａの下に反応を行うことからなる、１，１，１，３，３−ペンタフルオロプロパンの製造法である。
【０００６】
本発明にかかる１−クロロ−３，３，３−トリフルオロプロペン（トランス体またはシス体）または１，３，３，３−テトラフルオロプロペン（トランス体またはシス体）を原料として使用する際には、これらはどの様な割合で混合していてもよい。
【０００７】
本発明に使用する原料物質はどの様な方法で製造されたものであってもよいが、例えば以下に示す方法で製造することができる。１−クロロ−３，３，３−トリフルオロプロペンは、１，１，１−トリフルオロプロパンを塩素化して得られた１，１，１−トリフルオロ−３，３−ジクロロプロパンをアルコール性アルカリで脱塩化水素する方法（Ｊ．Ａｍ．Ｃｈｅｍ．Ｓｏｃ．，６４，１９４２，１１５８．）、３，３，３−トリフルオロプロピンに塩化水素を付加反応させる方法（Ｊ．Ｃｈｅｍ．Ｓｏｃ．，１９５２，３４９０．）、３−クロロ−１，１，１−トリフルオロ−３−ヨードプロパンのエタノール性ＫＯＨによる脱ヨウ化水素反応方法（Ｊ．Ｃｈｅｍ．Ｓｏｃ．，１９５３，１１９９．）、１，３，３，３−テトラクロロプロペンあるいは１，１，３，３−テトラクロロプロペンを液相加圧下無触媒でフッ素化する方法（ＵＳＰ５，６１６，８１９号明細書）、または液相にてフッ素化触媒不在／存在下で、１，１，１，３，３−ペンタクロロプロパンをフッ化水素によりフッ素化する方法等で得ることができる（特開平８−１０４６５５号公報、特開平８−２３９３３４号公報）。また１，３，３，３−テトラフルオロプロペンは本発明者らが出願した願書に添付した明細書に記載した方法により効率的に得ることができる（特願平８−１５９９９８号明細書、特願平８−１５９９９９号明細書）。
【０００８】
本発明にかかるフッ素化触媒は、クロムを活性炭に担持した触媒である。
【０００９】
本発明にかかるフッ素化触媒を調製する方法は限定されないが、クロムの硝酸塩、塩化物等の可溶性化合物を溶解した溶液を活性炭に含浸させるか、スプレーし、次いで乾燥させた後、得られた活性炭を加熱下においてフッ化水素、塩化水素、塩素化フッ素化炭化水素などと接触させることで担持させたクロムまたは活性炭の一部または全体をハロゲンで修飾することにより得られる。
【００１０】
本発明に用いる活性炭は、木材、木炭、椰子殻炭、パーム核炭、素灰等を原料とする植物系、泥炭、亜炭、褐炭、瀝青炭、無煙炭等を原料とする石炭系、石油残滓、オイルカーボン等を原料とする石油系または炭化ポリ塩化ビニリデン等の合成樹脂系がある。これら市販の活性炭から選択し使用することができ、例えば、瀝青炭から製造された活性炭（東洋カルゴン製ＢＰＬ粒状活性炭）、椰子殻炭（武田薬品工業製粒状白鷺ＧＸ、ＳＸ、ＣＸ、ＸＲＣ）等が挙げられるが、これらに限定されない。形状、大きさも通常粒状で用いられるが、球状、繊維状、粉体状、ハニカム状等反応器に適合すれば通常の知識範囲の中で使用することができる。また反応形式は固定床、流動床等いずれであってもよい。
【００１１】
本発明にかかる触媒の調製に用いる活性炭の比表面積ならびに細孔容積は、何れも大きいことが好ましいが、市販品の規格の範囲で十分であり、それぞれ４００ｍ2／ｇより大きく、０．２ｃｍ3／ｇより大きいことが望ましい。さらに活性炭を担体に用いる際には、塩基性溶液、例えば水酸化アンモニウム、水酸化ナトリウム、水酸化カリウム等の塩基性水溶液に常温付近で適当な時間、例えば、一昼夜浸漬するか、または酸性溶液、例えば、硝酸、塩酸、フッ酸等の酸に浸漬することにより処理し、予め担体表面の活性化ならびに灰分の除去を行うことが望ましい。
【００１２】
クロム担持量は０．１〜８０ｗｔ％、好ましくは１〜４０ｗｔ％である。クロムの可溶性化合物としては、水、エタノール、アセトンなどの溶媒に溶解するクロムの硝酸塩、塩化物、酸化物などが挙げられる。具体的には、硝酸クロム、三塩化クロム、三酸化クロム、重クロム酸カリウムなどを用いることができる。
【００１３】
何れの方法で調製した触媒も、使用の前に所定の反応温度以上の温度で予めフッ化水素、フッ素化またはフッ素化塩素化炭化水素などのフッ素化剤で処理し、反応中の触媒の組成変化を防止することが有効である。また、反応中に塩素、フッ素化または塩素化炭化水素などを反応器中に供給することは触媒寿命の延長、転化率、反応収率の向上に有効である。
【００１４】
反応温度は１００〜５００℃、好ましくはフッ化水素の臨界温度以上である１８８〜３５０℃であり、反応温度が低ければ反応は遅く実用的ではない。反応温度を高過ぎれば触媒寿命が短くなり、反応は速く進行するが分解生成物、オレフィン成分等が生成し１，１，１，３，３−ペンタフルオロプロパンの収率が低下するので好ましくない。
【００１５】
本発明の方法において、反応領域へ供給する１−クロロ−３，３，３−トリフルオロプロペン（トランス体またはシス体）または１，３，３，３−テトラフルオロプロペン（トランス体またはシス体）と、フッ化水素のモル比は、化学平衡の観点からは大きい方が生成物側に有利であるが、反応器、後処理設備等の負荷が大きくなり経済性に支障がでる。また、このモル比は通常、１／２〜１／５０であり、好ましくは１／５〜１／２５である。しかしながら、通常生成物に伴われる低次フッ素化物、未反応物またはフッ化水素は生成物と分離され反応系へリサイクルされるのでフッ化水素の過大または過小は、大規模な製造では致命的とはならないことが多い。
【００１６】
本発明の方法は０．０５〜１０．０ＭＰａ（ゲージ圧：大気圧との差圧をいう。）の下で行うことを特徴とする。とりわけ系内に存在する原料有機物、反応中間物質およびフッ化水素が反応系内で液化せず、触媒の強度等の力学的条件に適合することが望ましく、通常０．１〜３．０ＭＰａ（ゲージ圧）であることが好ましい。しかしながら、反応装置の耐圧性、経済性等が許せばより高い圧力下で行うこともできる。
【００１７】
本発明の関与する反応は、例えば下式、
【００１８】
【化１】
0004079482.tif 000002
【００１９】
で表されると考えられる。この反応は平衡反応であり、しかも原料側から生成物側に平衡がずれるに伴いモル数の減少する反応であるので、反応系を生成物側に偏らせるには加圧系が有利と考えられる。ところが、本発明において、特に比表面積が４００ｍ2／ｇより大きい活性炭に担持させたクロムを触媒とすると、この様な平衡で説明できない顕著な圧力依存性が見いだされた。
【００２０】
本発明にかかるフッ素化反応が、特に活性炭を担体とした場合に反応系の圧力に大きく依存することの理由は明確ではないが次のように説明できるかも知れない。すなわち、表面積の大きな、活性炭触媒では、他の物質からなる担体に担持させる場合に較べ高圧力下では反応基質の触媒表面への物理吸着が高まり、反応速度の向上となったものと推察される。
【００２１】
接触時間は、通常０．１〜３００秒、生産性の面から好ましくは１〜６０秒である。本発明の方法に使用する反応器は、耐熱性とフッ化水素、塩化水素等に対する耐食性を有する材質で作られれば良く、ステンレス鋼、ハステロイ、モネル、白金などが好ましい。また、これらの金属でライニングされた材料で作ることもできる。
【００２２】
本発明の方法により反応系から塩化水素、フッ化水素とともに流出するハロゲン化プロパンの精製方法は特に限定されない。例えば反応器より排出される塩化水素、フッ化水素などを含んだ有機生成物は、単に一度のまたは複数回の蒸留により塩化水素、フッ化水素、１−クロロ−３，３，３−トリフルオロプロペン（トランス体またはシス体）または１，３，３，３−テトラフルオロプロペン（トランス体またはシス体）、または１，１，１，３，３−ペンタフルオロプロパンをそれぞれの成分に分離することも可能であるが実際上極めて困難であるので次のような方法をとることもできる。塩化水素、フッ化水素とともに流出する有機生成物は、加圧下または大気圧下で塩化水素を蒸留または単にパージすることで分離し、残されたフッ化水素、ハロゲン化プロパンを含む有機物混合物からフッ化水素を除く為に、硫酸と接触させてフッ化水素を吸収させ、または互いに分離した二層を形成させフッ化水素のみを液体のまま除くことで有機生成物を得て、それを塩基性水溶液または水で洗浄し、乾燥した後、蒸留に付することで行うことができる。
【００２３】
実施例において示すように、１−クロロ−３，３，３−トリフルオロプロペンを本発明の方法によりフッ素化した場合の有機生成物は、１，１，１，３，３−ペンタフルオロプロパンの他に、１−クロロ−３，３，３−トリフルオロプロペン(トランス）、１−クロロ−３，３，３−トリフルオロプロペン(シス）、１，３，３，３−テトラフルオロプロペン（トランス）、１，３，３，３−テトラフルオロプロペン（シス）を含んでいることが多い。この有機生成物の蒸留分離においては、１，１，３，３，３−ペンタフルオロプロパンと沸点が近接し限界成分となる１−クロロ−３，３，３−トリフルオロプロペン（トランス体）、１，３，３，３−テトラフルオロプロペン（シス体）は、これらに対する１，１，１，３，３−ペンタフルオロプロパンの比揮発度が１に近く、通常の蒸留ではきわめて分離し難く、できるだけ限界成分の含量を下げ共沸様組成を形成し分離することが望ましい。１，１，１，３，３−ペンタフルオロプロパンと１−クロロ−３，３，３−トリフルオロプロペン（トランス体）との分離では、両者の分配係数が異なる溶媒（トリクロロエチレン、テトラクロロエチレン、クロロホルム等）を混合し比揮発度を変えることにより蒸留分離を容易にすることもできる。他の混合成分１−クロロ−３，３，３−トリフルオロプロペン（シス体）、１，３，３，３−テトラフルオロプロペン（トランス体）は、１，１，１，３，３−ペンタフルオロプロパンと沸点が離れており通常の蒸留で分離可能であり、以上の方法により精製され製品となる。
【００２４】
【実施例】
［調製例１］
３００ｇの特級試薬Ｃｒ（ＮＯ3）3・９Ｈ2Ｏを１リットルの純水に溶かした溶液に、直径４〜６ｍｍ、表面積１２００ｍ2／ｇ、細孔径１８Ａの粒状活性炭（武田薬品工業、粒状白鷺ＧＸ）１．８リットルを浸漬し、一昼夜放置した。次に濾過して活性炭を取り出し、熱風循環式乾燥器中で１００℃に保ち、さらに一昼夜乾燥した。得られたクロム担持活性炭を加熱装置を備えた直径３．５ｃｍ長さ１５０ｃｍの円筒形ＳＵＳ３１６Ｌ製反応管に充填し、窒素ガスを流しながら３００℃まで昇温し、水の排出が見られなくなった時点で、窒素ガスにフッ化水素を同伴させその濃度を徐々に高め、反応器温度を３５０℃に上げ、その状態を１時間保ち触媒の調製を行った。
【００２５】
［調製例２］
３００ｇの特級試薬Ｃｒ（ＮＯ3）3・９Ｈ2Ｏを１リットルの純水に溶かした溶液に、活性アルミナ（住友化学製ＫＨＳ−４６：粒径４〜６ｍｍ、）１．８リットルを浸漬し、一昼夜放置した。次に濾過してアルミナを取り出し、熱風循環式乾燥器中で１００℃に保ち、さらに一昼夜乾燥した。得られたクロム担持アルミナを加熱装置を備えた直径３．５ｃｍ長さ１５０ｃｍの円筒形ＳＵＳ３１６Ｌ製反応管に充填し、窒素ガスを流しながら３００℃まで昇温し、水の排出が見られなくなった時点で、窒素ガスにフッ化水素を同伴させその濃度を徐々に高め、反応器温度を３５０℃に上げ、その状態を１時間保ち触媒の調製を行った。
【００２６】
［比較例１］
後部に調圧弁を備え、加熱装置により加熱する円筒形反応管からなる気相反応装置（ＳＵＳ３１６Ｌ製、直径３．５ｃｍ・長さ１５０ｃｍ）に気相フッ素化触媒として調製例１で調製した触媒を１．４リットル充填した。約５００ｍｌ／分の流量で窒素ガスを流しながら反応管の温度を２５０℃に上げ、フッ化水素を約３．０ｇ／分の速度で導入するとともに窒素ガスの導入を停止した。そのまま反応管の温度を３５０℃まで昇温し１時間保った。次に常圧にて反応管の温度を２７０℃に下げ、フッ化水素を３．６ｇ／分の供給速度とし、１−クロロ−３，３，３−トリフルオロプロペン（トランス／シス体の比が９１／９の混合物。以下の実施例および比較例で同じ原料を使用した。）を予め気化させて１．２ｇ／分の速度で反応器へ供給開始した（フッ化水素／原料有機物＝１９．５／１）。
【００２７】
反応開始１時間後には反応は安定したので、反応器から流出する生成ガスを水中に吹き込み酸性ガスを除去した後、ドライアイス−アセトン−トラップで捕集した。捕集した有機物をガスクロマトグラフィーで分析した結果を表１に示した。比較例１では大気圧下で反応を行った。
【００２８】
【表１】
0004079482.tif 000003
【００２９】
［比較例２］
比較例１と同様の準備段階の後、表１に示す条件で実施例１と同様の反応操作、回収操作、分析を行った。結果を表１に示す。この比較例においては、接触時間を比較例１の約３倍としたが、転化率、収率に顕著な差は見いだせなかった。
【００３０】
［比較例３］
後部に調圧弁を備え、加熱装置により加熱する円筒形反応管からなる気相反応装置（ＳＵＳ３１６Ｌ製、直径３．５ｃｍ・長さ１５０ｃｍ）に気相フッ素化触媒として調製例１で調製した触媒を１．４リットル充填した。約５００ｍｌ／分の流量で窒素ガスを流しながら反応管の温度を２５０℃に上げ、フッ化水素を約３．０ｇ／分の速度で導入するとともに窒素ガスの導入を停止した。そのまま反応管の温度を３５０℃まで昇温し１時間保った。次に反応管の温度を２５５℃に下げ、フッ化水素を３．０ｇ／分の供給速度とし、原料有機物として１，３，３，３−テトラフルオロプロペン（トランス体／シス体の比が９４／６の混合物。）を予め気化させて１．７ｇ／分の速度で反応器へ供給開始した(フッ化水素／原料有機物モル比＝１０．０／１）。
【００３１】
反応開始１時間後には反応は安定したので、反応器から排出する生成ガスを水中に吹き込み酸性ガスを除去した後、ドライアイス−アセトン−トラップで捕集した。捕集した有機物をガスクロマトグラフィーで分析した結果を表１に示した。比較例３は大気圧下での反応を行った。
【００３２】
［比較例４］
後部に調圧弁を備え、加熱装置により加熱する円筒形反応管からなる気相反応装置（ＳＵＳ３１６Ｌ製、直径３．５ｃｍ・長さ１５０ｃｍ）に気相フッ素化触媒として調製例２で調製したクロム担持アルミナ触媒を１．４リットル充填した。約５００ｍｌ／分の流量で窒素ガスを流しながら反応管の温度を２５０℃に上げ、フッ化水素を約３．０ｇ／分の速度で導入するとともに窒素ガスの導入を停止した。そのまま反応管の温度を３５０℃まで昇温し１時間保った。次に常圧にて反応管の温度を２８０℃に下げ、フッ化水素を３．６ｇ／分の供給速度とし、１−クロロ−３，３，３−トリフルオロプロペンを予め気化させて１．２ｇ／分の速度で反応器へ供給開始した（フッ化水素／原料有機物＝１９．５／１）。反応開始１時間後には反応は安定したので、反応器から流出する生成ガスを水中に吹き込み酸性ガスを除去した後、ドライアイス−アセトン−トラップで捕集した。捕集した有機物をガスクロマトグラフィーで分析した結果を表１に示した。
【００３３】
［比較例５］
反応圧力を０．３ＭＰａとした他は比較例４と同様の実験を行った。結果を表１に示すが、収率は大気圧下での比較例４の値と比較して約２０％の向上であった。
【００３４】
［実施例１］
後部に調圧弁を備え、加熱装置により加熱する円筒形反応管からなる気相反応装置（ＳＵＳ３１６Ｌ製、直径３．５ｃｍ・長さ１５０ｃｍ）に気相フッ素化触媒として調製例１で調製した触媒を１．４リットル充填した。約５００ｍｌ／分の流量で窒素ガスを流しながら反応管の温度を２５０℃に上げ、フッ化水素を約  ３．０ｇ／分の速度で導入するとともに窒素ガスの導入を停止した。そのまま反応管の温度を３５０℃まで昇温し１時間保った。次に反応管の温度を２７０℃に下げ、フッ化水素を３．６ｇ／分の供給速度とし、原料有機物として１−クロロ−３，３，３−トリフルオロプロペンを予め気化させて１．２ｇ／分の速度で反応器へ供給開始した(フッ化水素／原料有機物モル比＝１９．５／１）。
【００３５】
後部調圧弁にて０．１ＭＰａ（ゲージ圧）とし、反応開始１時間後には反応は安定したので、反応器から排出する生成ガスを水中に吹き込み酸性ガスを除去した後、ドライアイス−アセトン−トラップで捕集した。捕集した有機物をガスクロマトグラフィーで分析した結果を表１に示した。
【００３６】
［実施例２、３］
何れも実施例１と同様の準備段階の後、表１に示す条件で実施例１と同様の反応操作、回収操作、分析を行った。結果を表１に示す。実施例１、実施例２、実施例３では反応生成物中に含まれる未反応の１−クロロ−３，３，３−トリフルオロプロペンがそれぞれ３８．０％、２１．１％、１３．０％であり、また、１，１，１，３，３−ペンタフルオロプロパンの収率はそれぞれ４５．５％、６８．７％、７９．４％であり、反応圧力を高めることにより転化率および収率の高くなることが顕著に認められる。
【００３７】
［実施例４］
圧力を０．３ＭＰａ（ゲージ圧）とした以外は比較例３と同様の準備段階の後、表１に示す条件で比較例３と同様の反応操作、回収操作、分析を行った。結果を表１に示す。原料有機物を１，３，３，３−テトラフルオロプロペン（トランス体／シス体の比が９４／６の混合物。）としたが、有機生成物中の未反応の１，３，３，３−テトラフルオロプロペンが比較例３で２９．９％であったものが実施例４では１４．３％となり、また、１，１，３，３，３−ペンタフルオロプロパン収率は、それぞれ６９．０％が８５．４％となり著しい向上が見られた。
【００３８】
[参考例]
実施例３で得られた粗生成物（ＣＴＦＰ（ｔ）／ＣＴＦＰ（ｃ）／ＰＦＰ／ＴＦＰ（ｔ）／ＴＦＰ（ｃ）＝１１．８／１．２／７９．４／６．３／１．１％）２０５．９ｇを、塔径２５ｍｍφ、ステンレス製ヘリパック（東京特殊金網（株）製Ｎｏ．２）を充填した最小理論段数４５段のガラス製精留塔を用い、塔頂より３５段の位置から供給した。常圧下、還流比４０／１、ボトム温度２０℃、凝縮器温度−２０℃で蒸留を行い、留出分として２３．７ｇ（ＣＴＦＰ（ｔ）／ＰＦＰ／ＴＦＰ（ｔ）／ＴＦＰ（ｃ）＝４．７／３１．６／５４．８／８．９％）、缶出分として１８２．２ｇ（ＣＴＦＰ（ｔ）／ＣＴＦＰ（ｃ）／ＰＦＰ／ＴＦＰ（ｃ）＝１０．４／７．７／８１．８／０．１％）を得た。
【００３９】
上記精留塔の原料供給口を閉鎖し、缶出分１８２．２ｇをそのまま蒸留した。常圧下、還流比４０／１、ボトム温度２５℃、凝縮器温度−１０℃で蒸留を行い、１，１，１，３，３−ペンタフルオロプロパンと１−クロロ−３，３，３−トリフルオロプロペン（トランス体）とはほぼ１／１（モル比）の共沸様組成を形成して留出し、初留分として７０．５ｇ（ＣＴＦＰ（ｔ）／ＰＦＰ／ＴＦＰ（ｃ）＝２６．８／７２．９／０．３％）、主留分として９６．４ｇ（ＣＴＦＰ（ｔ）／ＰＦＰ＝０．２／９９．８％）、釜残分として１５．３ｇ（ＣＴＦＰ（ｃ）／ＰＦＰ＝９１．５／８．５％）を得た。
【００４０】
ここで主留以外の留出分、残留分はいずれも再度反応系にリサイクル可能である。
【００４１】
【発明の効果】
本発明の１，１，１，３，３−ペンタフルオロプロパンの製造法は、入手の容易な１−クロロ−３，３，３−トリフルオロプロパンを原料とし、連続的に簡便な方法で、且つ高い転化率と高い収率で１，１，１，３，３−ペンタフルオロプロパンを製造できるので、工業的な製造法として有用である。